(57)【特許請求の範囲】
【請求項１】
屋外に面する外装面部材の下端部と、前記外装面部材の下方に位置するベース部材との間の通気空間に配置される水切具であって、
前記外装面部材の下端面に当接する上側当接部と、
前記ベース部材の上端面に当接する下側当接部と、
前記外装面部材の裏面に当接する裏側当接部と、
前記ベース部材の外側面に当接する表側当接部とを備え、
前記下側当接部は、弾性変形可能に構成されており、
前記下側当接部は、取付状態において、その復元力によって、前記裏側当接部および前記表側当接部がそれぞれの当接対象面に押圧力を与える方向に、回転力を生じさせる、水切具。
【請求項２】
前記４つの当接部の間に位置する中央部をさらに備え、
前記上側当接部が前記中央部よりも上方に設けられ、
前記下側当接部が前記中央部よりも下方かつ屋内側に設けられ、
前記裏側当接部が前記中央部よりも上方に設けられ、
前記表側当接部が前記中央部よりも下方に設けられている、請求項１に記載の水切具。
【請求項３】
前記中央部から屋内側へ向かって斜め下方に延びて、斜め上方に屈曲する板バネをさらに備え、
前記板バネの屈曲点が前記下側当接部を構成する、請求項２に記載の水切具。
【請求項４】
前記通気空間の屋外側を覆うカバー部材をさらに備え、
前記上側当接部は、前記カバー部材の一部を構成し、かつ、その上面に乾式シール材が設けられている、請求項１〜３のいずれかに記載の水切具。
【請求項５】
前記外装面部材の裏面側には通気層が配置されており、
前記通気層に隣接する内側面部材の表面に当接する補助当接部をさらに備える、請求項１〜４のいずれかに記載の水切具。
【発明の詳細な説明】
【技術分野】
【０００１】
本発明は、水切具に関し、特に、バルコニーの立上り部などにより形成されるベース部材と、その上に位置する外装面部材の下端部との間の通気空間に取付けられる水切具に関する。
【背景技術】
【０００２】
バルコニーの立上り部と外壁の外装面部材との取り合い部などには、通気空間が形成される。この通気空間には、躯体側への浸水を防止するために、水切具が配置される。従来から、狭い通気空間に、簡易に水切具を取付けるための技術が提案されている。
【０００３】
たとえば特開２０１１−５２４１５号公報（特許文献１）には、外壁パネルの下端部と、防水シートが配設されたバルコニーの立上り部（下部ボードおよび下部合板）の上面とを突っ張ることにより、見切り材の固定金具（見切固定水切金物）を取り付ける方法が開示されている。この方法では、突っ張り作用によりボルトレスで固定金具を取り付け、固定金具に後付けでカバー材（見切り材）が固定される。
【０００４】
また、特開２０１２−１４９４０５号公報（特許文献２）には、土台水切の下地フレームを床大梁にボルトで固定し、その下地フレームの下端に取付けられたブラケットに、土台水切が着脱可能に取付けられることが開示されている。
【先行技術文献】
【特許文献】
【０００５】
【特許文献１】特開２０１１−５２４１５号公報
【特許文献２】特開２０１２−１４９４０５号公報
【発明の概要】
【発明が解決しようとする課題】
【０００６】
水切具は、通常、通気空間に隣接する（露出する）防水対象面に防水シートが貼り付けられた後で、通気空間の屋外側を覆うように取り付けられる。そのため、特許文献１のように、防水シートを破損しないよう、ボルトレスで通気空間に水切具を取り付けることが望ましい。
【０００７】
一方で、特許文献１の取付け方法によれば、ボルトを用いた突っ張り調整が必要となる。したがって、より簡易に通気空間に取付けることのできる水切具が望まれていた。
【０００８】
本発明は、上記のような課題を解決するためになされたものであって、その目的は、現場での取り付け作業を簡素化することのできる水切具を提供することである。
【課題を解決するための手段】
【０００９】
この発明のある局面に従う水切具は、屋外に面する外装面部材の下端部と、外装面部材の下方に位置するベース部材との間の通気空間に配置される。水切具は、外装面部材の下端面に当接する上側当接部と、ベース部材の上端面に当接する下側当接部と、外装面部材の裏面に当接する裏側当接部と、ベース部材の外側面に当接する表側当接部とを備え、これら４つの当接部のうちの少なくとも１つが弾性変形可能に構成されている。
【００１０】
４つの当接部のうち弾性変形可能な当接部は、取付状態において、その復元力によって当接対象面に押圧力を与えることが望ましい。
【００１１】
好ましくは、下側当接部が弾性変形可能に構成されている。
【００１２】
さらに好ましくは、水切具は、４つの当接部の間に位置する中央部をさらに備える。この場合、上側当接部が中央部よりも上方に設けられ、下側当接部が中央部よりも下方かつ屋内側に設けられ、裏側当接部が中央部よりも上方に設けられ、表側当接部が中央部よりも下方に設けられていることが望ましい。
【００１３】
より特定的には、水切具は、中央部から屋内側へ向かって斜め下方に延びて、斜め上方に屈曲する板バネをさらに備えていることが望ましい。この場合、板バネの屈曲点が下側当接部を構成する。
【００１４】
また、下側当接部は、取付状態において、裏側当接部および表側当接部がそれぞれの当接対象面に押圧力を与える方向に、回転力を生じさせることが望ましい。
【００１５】
好ましくは、水切具は、通気空間の屋外側を覆うカバー部材をさらに備える。この場合、上側当接部は、カバー部材の一部を構成し、かつ、その上面に乾式シール材が設けられていてもよい。
【００１６】
外装面部材の裏面側に通気層が配置されている場合、水切具は、通気層に隣接する内側面部材の表面に当接する補助当接部をさらに備えてもよい。
【発明の効果】
【００１７】
本発明の水切具によれば、現場での取り付け作業を簡素化することができる。
【図面の簡単な説明】
【００１８】
【図１】本発明の実施の形態１において、水切具が外壁の下端部に取付けられた状態を示す断面図である。
【図２】本発明の実施の形態１において、取付状態における水切具を模式的に示す拡大断面図である。
【図３】本発明の実施の形態１に係る水切具の分解断面図である。
【図４】図３に示した水切具の固定部材の分解断面図である。
【図５】図３に示した水切具の固定部材の正面図である。
【図６】本発明の実施の形態１に係る水切具の取付け位置を示す斜視図である。
【図７】（Ａ），（Ｂ）は、本発明の実施の形態１に係る水切具の取付け手順を模式的に示す断面図である。
【図８】本発明の実施の形態２において、水切具が屋外腰壁の下端部に取付けられた状態を示す断面図である。
【図９】（Ａ），（Ｂ）は、本発明の実施の形態２に係る水切具の取付け手順を模式的に示す断面図である。
【図１０】水切具の他の構成例を模式的に示す断面図である。
【発明を実施するための形態】
【００１９】
本発明の実施の形態について図面を参照しながら詳細に説明する。なお、図中同一または相当部分には同一符号を付してその説明は繰返さない。
【００２０】
図１を参照して、まず、本実施の形態に係る水切具４の取付け箇所について説明する。水切具４は、たとえば、建物のバルコニーに面する外壁１０の下端部に配置される。図１の矢印Ａ１は、屋外側、すなわちバルコニー側を示している。
【００２１】
外壁１０は、外壁１０の躯体部を構成する壁本体部１１と、壁本体部１１の屋外側に配置される外壁外装部１２とを含む。壁本体部１１は、たとえば断熱材と、断熱材を支持するパネルフレームとを含む。壁本体部１１は、外壁外装部１２よりも下方にまで延在しており、ベース部材１６と内外方向に隣接している。外壁外装部１２は、バルコニーの立ち上がり部としてのベース部材１６の上方に、ベース部材１６から離れて配置されている。
【００２２】
外壁外装部１２は、屋外に面する外装面部材１３と、壁本体部１１に隣接する内側面部材１４と、外装面部材１３と内側面部材１４との間に位置する通気層１５とを含む。外装面部材１３は、たとえば窯業系のサイディングである。
【００２３】
ベース部材１６は、外壁外装部１２の下面に対向する上端面（水平面）１６ａと、上端面１６ａに直交し、屋外に面する外側面（鉛直面）１６ｂとを有する。ベース部材１６と外壁外装部１２との間の取合い部に形成される空間は、壁本体部１１の屋外面（屋外側の面）１１ａに隣接し、かつ、通気層１５に連通する通気空間２０である。
【００２４】
水切具４は、外壁外装部１２内の通気層１５への通気を可能としつつ、通気空間２０の奥、すなわち壁本体部１１の屋外面１１ａへの雨水の吹き込みを抑制するべく、通気空間２０に配置される。
【００２５】
なお、典型的には、壁本体部１１の屋外面には防水シート３１が貼り付けられる。本実施の形態では、内側面部材１４の下端部屋内側に切欠き部１４０が設けられており、防水シート３１は、切欠き部１４０内に入り込んだ状態で貼り付けられている。また、ベース部材１６も防水性を要することから、防水シート３１は、ベース部材１６の上端面および外側面にも設けられる。なお、ベース部材１６の外側面に位置する防水シート３１上には、さらに別の防水シート３２が貼り付けられていてもよい。
【００２６】
このような場合、壁本体部１１の屋外面１１ａおよびベース部材１６の上端面１６ａは、防水シート３１の表面により構成され、ベース部材１６の外側面１６ｂは、防水シート３２の表面により構成される。
【００２７】
（水切具の構成について）
図２を参照して、水切具４の概略構成について説明する。本実施の形態における水切具４は、外装面部材１３の下端面１３ａに当接する上側当接部４０ａと、ベース部材１６の上端面１６ａに当接する下側当接部４０ｂと、外装面部材１３の裏面１３ｂに当接する裏側当接部４０ｃと、ベース部材１６の外側面１６ｂに当接する表側当接部４０ｄと、４つの当接部４０ａ〜４０ｄの間に位置する中央部４０とを備えている。各当接部４０ａ〜４０ｄは、直接的または間接的に中央部４０と連結されている。
【００２８】
具体的には、上側当接部４０ａが中央部４０よりも上方かつ屋外側に設けられ、下側当接部４０ｂが中央部４０よりも下方かつ屋内側に設けられる。また、裏側当接部４０ｃが中央部４０よりも上方に設けられ、表側当接部４０ｄが中央部４０よりも下方かつ屋外側に設けられている。本実施の形態では、上側当接部４０ａが下側当接部４０ｂよりも屋外側に位置し、表側当接部４０ｄが裏側当接部４０ｃよりも屋外側に位置している。
【００２９】
このように、水切具４は、４つの当接部４０ａ〜４０ｄを備えるため、取付状態において、建物の構造物（外壁１０の外壁外装部１２およびベース部材１６）に対して上下方向および内外方向の４方向に当接する。したがって、ボルトレスで建物の構造物に水切具４を固定することができる。
【００３０】
ここで、水切具４は板バネ４２をさらに備えており、板バネ４２の屈曲点が下側当接部４０ｂを構成している。板バネ４２は、中央部４０から屋内側へ向かって斜め下方に延びて、斜め上方に屈曲している。このように、本実施の形態では、下側当接部４０ｂが弾性変形可能に構成されている。
【００３１】
水切具４は、下側当接部４０ｂの下方への復元力が残された状態で固定される。そのため、下側当接部４０ｂの復元力によって、ベース部材１６の上端面１６ａに押圧力が与えられるとともに、上側当接部４０ａが外装面部材１３の下端面１３ａに押し当てられる。したがって、上下方向の突っ張り度合を調整するための部材を別途設けなくても、水切具４は、外装面部材１３の下端面１３ａ（通気空間２０の天面）とベース部材１６の上端面１６ａ（通気空間２０の下面）との間に突っ張られた状態で適切に固定される。
【００３２】
また、下側当接部４０ｂの復元力によって、水切具４には、板バネ４２の付け根（固定端）を支点として図中実線矢印で示す方向に回転力が生じる。そのため、裏側当接部４０ｃおよび表側当接部４０ｄは、図中破線矢印で示すように、それぞれの当接対象面１３ｂ，１６ｂに押圧力を与えながら当接する。したがって、取付状態において水切具４の姿勢を適正な姿勢（正規姿勢）に維持することができる。つまり、裏側当接部４０ｃおよび表側当接部４０ｄが互いに近づく方向に、下側当接部４０ｂの弾性力が維持されるため、水切具４が傾いて通気空間２０から外れてしまうことを防止することができる。
【００３３】
なお、本実施の形態の水切具４は、内側面部材１４の表面（屋外側の面）１４ａに当接する補助当接部４０ｅをさらに備えていてもよい。補助当接部４０ｅは、裏側当接部４０ｃと対面状態となるように、連結部４３を介して裏側当接部４０ｃと接続されている。これにより、水切具４の屋内方向へのずれ（移動）が、表側当接部４０ｄと補助当接部４０ｅとの２点において規制されるため、より安定的に水切具４の姿勢を維持することができる。
【００３４】
このような水切具４は、たとえば複数の部品を組み立てることによって形成可能である。水切具４の詳細な構造例について、以下に説明する。なお、以下の説明においては、屋外側を前方、屋内側を後方ともいう。
【００３５】
図３を参照して、水切具４は、外装面部材１３の横方向（図５の矢印Ａ２方向）に沿って延びる長尺状のカバー部材６０と、カバー部材６０の屋内側に連結されたピース状の固定部材５０とで構成される。
【００３６】
水切具４のうちの固定部材５０の構造例について、図４および図５をさらに参照して説明する。固定部材５０は、たとえば２つ部材が連結されることによって構成されている。固定部材５０の分解断面図が図４に示されている。また、固定部材５０を屋外側（前方）から見た図が図５に示されている。
【００３７】
固定部材５０は、たとえば、上記板バネ４２を有する支持部材５１と、支持部材５１の屋外側に配置され、カバー部材６０を取付けるためのカバー取付部材５２と、これらを締結する締結ボルト５３とで構成されている。
【００３８】
図４および図５を参照して、支持部材５１は、カバー部材６０の延在方向（外装面部材１３の横方向）に沿って配置される略矩形形状の基準板部７１と、挿入部７２と、前方曲げ部７３と、上述の板バネ４２とで構成されている。支持部材５１は、たとえば金属製の薄板を加工することにより形成可能である。
【００３９】
基準板部７１は、上下方向に延在し、かつ、両横に補強用のフランジ部７５が設けられている。挿入部７２は、基準板部７１の上端に連結され、逆Ｕ字状断面を有している。挿入部７２は、基準板部７１よりも後方側において前後方向に延びる横板部７２ａと、横板部７２ａの前端から下方に延び、基準板部７１の上端に連結される前方縦板部７２ｂと、横板部７２ａの後端から下方に延びる後方縦板部７２ｃとで構成されている。上記した裏側当接部４０ｃは前方縦板部７２ｂの一部（上端側の部分）または全部により構成され、補助当接部４０ｅは後方縦板部７２ｃの一部（上端側の部分）または全部により構成される。なお、挿入部７２は、カバー部材６０の延在方向において互いに離れた状態で複数設けられてもよい。
【００４０】
板バネ４２の固定端は、基準板部７１の下端の一部（中央部）に連結されている。板バネ４２は、基準板部７１の下端から屋内側へ向かって斜め下方に延びる傾斜板部４２１と、傾斜板部４２１の先端が斜め上方に折り曲げられた屈曲部４２２とで構成されている。
【００４１】
前方曲げ部７３は、基準板部７１の下端の残りの部分から前方に延びる延出部７３ａと、延出部７３ａの前端から下方に垂れ下がる垂下部７３ｂとで構成されている。上記した表側当接部４０ｄは、垂下部７３ｂの一部（先端側の部分）または全部により構成される。なお、前方曲げ部７３もまた、カバー部材６０の延在方向において互いに離れた状態で複数設けられてもよい。
【００４２】
カバー取付部材５２は、基準板部７１の表面（前面）に接合される接合板部８１と、２つの被係合部８２，８３とで構成されている。カバー取付部材５２もまた、たとえば金属製の薄板を加工することにより形成可能である。
【００４３】
接合板部８１の下端位置は基準板部７１の下端位置よりも上に位置している。本実施の形態では、接合板部８１と基準板部７１とに、締結ボルト５３挿通用の貫通孔８１０，７１０がそれぞれ設けられている。基準板部７１の貫通孔７１０は上下方向に長さを有するルーズ孔であってもよい。この場合、締結ボルト５３の挿通位置（高さ）を調整することで、支持部材５１に対するカバー取付部材５２の相対高さを調整することができる。したがって、建物の構造物の累積公差などによって通気空間２０の高さ寸法にばらつきがあったとしても、上下方向の突っ張り作用が生じるように水切具４を取り付けることができる。
【００４４】
上記した中央部４０は、たとえば、基準板部７１と接合板部８１とによって構成される。なお、本実施の形態では、基準板部７１と接合板部８１とが締結ボルト５３によって接合されているが、限定的ではなく、たとえば溶接によって接合されてもよい。
【００４５】
被係合部８２は、接合板部８１の下端部から前方に突出するブラケット部８２ａと、その先端から下方に垂れ下がる垂下部８２ｂとで形成される。後述するように、被係合部８２の垂下部８２ｂ先端に、カバー部材６０の曲折部６４が引掛けられる。
【００４６】
被係合部８３は、被係合部８２のブラケット部８２ａよりも下方において、接合板部８１の下端部から前方に突出するブラケット部８３ａと、その先端に設けられた、緩やかな山状の凸部８３ｂとで形成される。後述するように、被係合部８３の凸部８３ｂに、カバー部材６０の係合片６５が引掛けられる。
【００４７】
次に、水切具４のうちのカバー部材６０について図３を参照して説明する。カバー部材６０は、水平方向に延在する天板部６１と、天板部６１の前方端より斜め下方に延びる傾斜遮蔽部６２と、傾斜遮蔽部６２の前方端より下方に垂れ下がる垂下遮蔽部６３とを含む。
【００４８】
組立状態において、天板部６１の後端は、固定部材５０に当接または近接する。上記した上側当接部４０ａは、天板部６１によって構成される。なお、上側当接部４０ａは、天板部６１の一部によって構成されてもよい。天板部６１の上面、すなわち上側当接部４０ａの上面には、乾式シール材４４が予め設けられていてもよい。傾斜遮蔽部６２および垂下遮蔽部６３は、通気空間２０の屋外側を覆うカバー部４１を構成し、固定部材５０を遮蔽する。
【００４９】
カバー部材６０は、カバー取付部材５２への取付けのために、垂下遮蔽部６３の下端から後方側へ斜め上方に折り曲げられた曲折部６４と、天板部６１の下面より下方に延びる係合片６５とをさらに含む。組立時において、まず、曲折部６４がカバー取付部材５２の被係合部８２の下端に引掛けられる。その状態で、カバー部材６０を屋内側へ押し込むことで、係合片６５が、カバー取付部材５２の被係合部８３の凸部８３ｂに引掛けられる。このように、カバー部材６０と固定部材５０とは簡単に嵌め込んで組み立てることができる。なお、カバー部材６０と固定部材５０とは、工場において一体的に組み立てられていてもよい。
【００５０】
（水切具の取付け作業について）
図６および図７を参照して、本実施の形態の水切具４の取付け作業について説明する。上述のように水切具４は板バネ４２を備えることで、図６に示すように、一体物の水切具４を、バルコニー９０側（屋外側）から通気空間２０に一度に嵌め入れることができる。具体的な取付手順については次の通りである。
【００５１】
図７（Ａ）を参照して、施工者は、水切具４を前方に傾けた状態で、板バネ４２の傾斜板部４２１の下面全体をベース部材１６の上端面１６ａに載せる。このとき、矢印（１）で示されるように水切具４の連結部４３（固定部材５０の挿入部７２）を下に押さえ付け、矢印（２）で示されるように板バネ４２の弾性力によって固定部材５０を上下に縮める。その状態で、図７（Ｂ）の矢印（３）で示されるように、水切具４の姿勢が正規姿勢となるように、水切具４を徐々に回転させる。
【００５２】
表側当接部４０ｄがベース部材１６の外側面１６ｂに当接し、連結部４３が外装面部材１３を通り越した時点で、板バネ４２の復元力によって連結部４３が通気層１５に嵌まり込む。これにより、裏側当接部４０ｃが外装面部材１３の裏面１３ｂに当接し、補助当接部４０ｅが内側面部材１４の表面１４ａに当接するため、水切具４の内外方向の移動が規制される。
【００５３】
さらに、連結部４３が通気層１５に嵌まり込む際に、板バネ４２の復元途中において、上側当接部４０ａが、乾式シール材４４を介して外装面部材１３の下端面１３ａに突き当たる。板バネ４２が完全に復元していない状態で上側当接部４０ａが当接対象面１３ａに突き当たって当接するため、水切具４には上下方向に突っ張り作用が生じる。したがって、単に、水切具４の上下方向の移動が規制されるだけでなく、水切具４を、ボルトレスで確りと固定することができる。
【００５４】
また、水切具４の上側当接部４０ａ上に乾式シール材４４を予め取り付けておくことで、外装面部材１３の下端面１３ａと水切具４の上側当接部４０ａとの間に、乾式シール材４４を圧縮状態で介在させることができる。したがって、外装面部材１３の下端面１３ａと水切具４の上側当接部４０ａとの間の止水性を高めることができる。
【００５５】
上述のように、本実施の形態によれば、一体型の水切具４を一度に通気空間２０に固定することができる。したがって、現場での水切具４の取付け作業を従来よりも格段に簡素化することができる。
【００５６】
＜実施の形態２＞
上記実施の形態１では、水切具がバルコニーに面する外壁の下端部に取付けられる例について説明したが、本実施の形態では、水切具がバルコニーに面する屋外腰壁の下端部に取付けられる例について説明する。なお、水切具の基本構成は実施の形態１と同じであるため、実施の形態１との相違点のみ詳細に説明する。
【００５７】
図８を参照して、バルコニーに面する屋外腰壁１０Ａの腰壁外装部１２Ａは、通気層を有さず、互いに隣接する外装面部材１３Ａと内側面部材１４Ａとで構成されている。外装面部材１３Ａは内側面部材１４Ａよりも下方に長く、外装面部材１３Ａの裏面１３ｂと壁本体部１１Ａの屋外面１１ａとの間には隙間１２０が設けられている。この場合、通気空間２０Ａは、隙間１２０と連通している。
【００５８】
水切具４Ａは、上記した４つの当接部４０ａ〜４０ｄに加え、もう１つ上側当接部４０ｆを有している。また、水切具４Ａは、補助当接部４０ｅを有していない。
【００５９】
上側当接部４０ｆは、中央部４０の上端から後方へ向かって略水平に延びている。上側当接部４０ｆは、中央部４０よりも上方かつ屋内側に位置し、かつ、裏側当接部４０ｃよりも屋外側に位置する。具体的には、上側当接部４０ｆの後端が裏側当接部４０ｃの下端と連結されており、略Ｌ字状に形成されている。なお、本実施の形態では、連結部４３に代えて、裏側当接部４０ｃの上端から斜め下方に折り曲げられた折り曲げ部４３Ａが設けられてもよい。この場合、裏側当接部４０ｃと折り曲げ部４３Ａとが、隙間１２０に挿入される挿入部となる。
【００６０】
上側当接部４０ｆは、たとえば固定部材５０に設けられる。カバー部材６０の上側当接部４０ａ上に乾式シール材４４が設けられる場合、屋内側の上側当接部４０ｆは、屋外側の上側当接部４０ａよりも高い位置に位置していてもよい。また、本実施の形態では、下側当接部４０ｂの復元力によって、水切具４Ａには、板バネ４２の付け根（固定端）を支点として回転力が生じる。
【００６１】
本実施の形態においても、実施の形態１と同様に、一体物の水切具４Ａを屋外側から通気空間２０Ａに取付け可能である。具体的には、図９（Ａ）に示すように、固定部材５０の上側当接部４０ｆを下方に押し付け（矢印（１））、板バネ４２の弾性力によって固定部材５０を上下に縮める（矢印（２））。その状態で、図９（Ｂ）の矢印（３）で示されるように、水切具４Ａの姿勢が正規姿勢となるように、水切具４Ａを徐々に回転させる。
【００６２】
本実施の形態では、表側当接部４０ｄがベース部材１６の外側面１６ｂに当接し、折り曲げ部４３Ａが外装面部材１３を通り越した時点で、板バネ４２の復元力によって折り曲げ部４３Ａが隙間１２０に嵌まり込む。これにより、裏側当接部４０ｃが外装面部材１３の裏面１３ｂに当接するため、水切具４Ａの内外方向の移動が規制される。なお、折り曲げ部４３Ａは、取付時に防水シート３１を破損しないように、壁本体部１１Ａの屋外面１１ａに接触しない寸法であることが望ましい。
【００６３】
さらに、折り曲げ部４３Ａが隙間１２０に嵌まり込む際に、板バネ４２の復元途中において、２つの上側当接部４０ａ，４０ｆが外装面部材１３の下端面１３ａに突き当たる。なお、屋外側の上側当接部４０ａは、乾式シール材４４を介して外装面部材１３の下端面１３ａに当接してもよい。
【００６４】
本実施の形態においても、板バネ４２が完全に復元していない状態で２つの上側当接部４０ａ，４０ｆが当接対象面１３ａに突き当たって当接するため、水切具４には上下方向に突っ張り作用が生じる。また、上側当接部４０ｆと裏側当接部４０ｃとで形成されたＬ字状の部分が、外装面部材１３Ａの屋内側の下端角部に嵌合するため、水切具４の姿勢を適正に維持することができる。
【００６５】
上述のように、バルコニーの屋外腰壁１０Ａの下端部に水切具を取り付ける場合においても、本実施の形態における水切具４Ａを採用することで、取付作業を簡素化することができる。
【００６６】
なお、本実施の形態では、水切具４Ａが２つの上側当接部４０ａ，４０ｆを備えることとしたが、水切具は、屋外側の上側当接部４０ａを有さず、屋内側の上側当接部４０ｆだけを有していてもよい。あるいは、２つの上側当接部４０ａ，４０ｆが一体的に形成されていてもよい。
【００６７】
＜水切具の他の構成例＞
以上説明した各実施の形態では、中央部４０が鉛直方向に延在する例を示したが、上側当接部４０ａ（４０ｆ）、下側当接部４０ｂ、裏側当接部４０ｃ、および表側当接部４０ｄそれぞれを形成する４つの板状部が、中央部４０から分岐する構成であれば、中央部４０の配置位置、大きさ、および形状は問わない。たとえば、中央部４０は、通気空間２０（２０Ａ）の周辺の構造物の位置関係に応じて傾斜していてもよい。
【００６８】
また、各実施の形態では、下側当接部４０ｂが弾性変形可能な当接部であることとしたが、下側当接部４０ｂに代えて（または加えて）、上側当接部４０ａが弾性変形可能な当接部であってもよい。この場合でも、水切具の固定部材５０の上下寸法を縮めることができるため、取付時に、屋外側から水切具を嵌め入れることができる。
【００６９】
あるいは、各実施の形態では、弾性変形可能な当接部を利用することで、一体物の水切具４を簡易に嵌め入れ可能であることとしたが、取付状態において水切具の姿勢を正規姿勢にさえ維持できればよい。すなわち、上側当接部４０ａ（４０ｆ）、下側当接部４０ｂ、裏側当接部４０ｃ、および表側当接部４０ｄのうちの少なくともいずれか１つが弾性変形可能であればよい。
【００７０】
また、各実施の形態では、水切具が弾性変形可能な板バネを備えることとしたが、水切具の上側当接部４０ａ（４０ｆ）、下側当接部４０ｂ、裏側当接部４０ｃ、および表側当接部４０ｄのうちの少なくとも１つが、板バネ以外の部材によって弾性変形可能に構成されてもよい。たとえば、図１０に示す水切具４Ｂのように、上側当接部４０ａおよび下側当接部４０ｂが、蛇腹状に形成されたゴム部材４６の上端部および下端部により構成されていてもよい。
【００７１】
また、上記各実施の形態では、固定部材５０およびカバー部材６０を含む一体物の水切具４が複数の当接部を有することとしたが、固定部材５０に複数の当接部を設けて、カバー部材６０を後付で取付け可能としてもよい。
【００７２】
また、固定部材５０はピース状に設けられることとしたが、固定部材５０に通気のための開口部が設けられていれば、カーバ部材６０と同様に、外装面部材１３（１３Ａ）の横方向に沿って延在していてもよい。
【００７３】
なお、上記各実施の形態では、バルコニーの立上り部に設けられる水切具について説明したが、水切具の取付箇所は、たとえば建物の基礎上であってもよい。つまり、上記ベース部材１６は、建物の基礎であってもよい。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
４，４Ａ，４Ｂ  水切具、１０  外壁、１０Ａ  屋外腰壁、１１，１１Ａ  壁本体部、１２  外壁外装部、１２Ａ  腰壁外装部、１３，１３Ａ  外装面部材、１４，１４Ａ  内側面部材、１５  通気層、１６  ベース部材、２０，２０Ａ  通気空間、３１，３２  防水シート、４０  中央部、４０ａ，４０ｆ  上側当接部、４０ｂ  下側当接部、４０ｃ  裏側当接部、４０ｄ  表側当接部、４０ｅ  補助当接部、４１  カバー部、４２，４５  板バネ、４３  連結部、４３Ａ  折り曲げ部、４４  乾式シール材、４６  ゴム部材、５０  固定部材、５１  支持部材、５２  カバー取付部材、５３  締結ボルト、６０  カバー部材、６１  天板部、６２  傾斜遮蔽部、６３  垂下遮蔽部、６４  曲折部、６５  係合片、７１  基準板部、７２  挿入部、７３  前方曲げ部、７５  フランジ部、８１  接合板部、８２，８３  被係合部、９０  バルコニー、１２０  隙間、７１０，８１０  貫通孔。
【図１】
0006608200.tif 000002
【図２】
0006608200.tif 000003
【図３】
0006608200.tif 000004
【図４】
0006608200.tif 000005
【図５】
0006608200.tif 000006
【図６】
0006608200.tif 000007
【図７】
0006608200.tif 000008
【図８】
0006608200.tif 000009
【図９】
0006608200.tif 000010
【図１０】
0006608200.tif 000011